(57)【要約】【課題】送気用と送水用のノズルが別々に設けられた内視鏡の先端部において、両ノズルによって発生する照明影が内視鏡観察に悪影響を及ぼさず良好な内視鏡観察を行うことができる内視鏡の先端部を提供すること。【解決手段】観察窓２と二つの照明窓３とが設けられた挿入部先端面１ａに、送気用と送水用の二つのノズル４が別々に突設された内視鏡の先端部において、二つのノズル４を、二つの照明窓３の各中心位置を結ぶ直線Ａを境にその両側に分けて配置した。【選択図】　　　図１
2004049264.tif 000002
【特許請求の範囲】
【請求項１】
観察窓と二つの照明窓とが設けられた挿入部先端面に、送気用と送水用の二つのノズルが別々に突設された内視鏡の先端部において、
上記二つのノズルを、上記二つの照明窓の各中心位置を結ぶ直線を境にその両側に分けて配置したことを特徴とする内視鏡の先端部。
【請求項２】
上記挿入部先端面に設けられた処置具突出口が、上記二つのノズルのうちの一方のノズルにより発生する照明影の領域に配置されている請求項１記載の内視鏡の先端部。
【請求項３】
上記二つの照明窓の各中心位置を結ぶ直線から上記観察窓の中心までの距離が、上記二つの照明窓の各中心位置を結ぶ直線から上記各ノズルまでの距離より短い請求項１又は２記載の内視鏡の先端部。
【発明の詳細な説明】
【０００１】
【発明の属する技術分野】
この発明は、送気ノズルと送水ノズルが別々に設けられた内視鏡の先端部に関する。
【０００２】
【従来の技術】
図４は、一般的な前方視型内視鏡の挿入部の先端部分を示しており、先端部本体１の先端面１ａには、観察窓２と照明窓３が配置されると共に、観察窓２の表面を洗浄するためのノズル４が突設されている。
【０００３】
そして、先端部本体１内の観察窓２の奥に位置する部分には、対物光学系２１と、その対物光学系２１による被写体の結像位置にイメージガイドファイババンドル２２の像入射端面（又は固体撮像素子の撮像面）が配置され、照明窓３の裏側にはライトガイドファイババンドル３１の射出端面が配置されている。
【０００４】
【発明が解決しようとする課題】
上述のような内視鏡の先端部において、ノズル４から観察窓２の表面に吹き付けられる空気の勢いが弱いと観察窓２の表面の洗浄能が不十分になるので、ノズル４は観察窓２になるべく接近した位置に設けるのがよい。
【０００５】
しかし、先端部本体１の先端面１ａから突設されているノズル４が観察窓２の近傍にあると、照明窓３から放射される照明光がノズル４に当たって生じる影（以下「照明影Ｓ」という）が観察視野の一部を少し暗くする。
【０００６】
照明窓３は配光ムラ防止やレイアウト上の理由等から二つ設けるのが一般的であるが、さらに、洗浄能等を良くするためにノズル４が送気用と送水用とで別々に設けられたものがある。
【０００７】
そのような内視鏡の先端部では、図５に示されるように、二つのノズル４によって生じる各々の照明影Ｓが重なり合う領域ＳＳができ、その部分は非常に暗くなって内視鏡観察に支障が出る場合がある。なお、照明影Ｓは、二つの照明窓３のうちノズル４に近い方の照明窓３から放射される照明光によるノズル４の影をいうものとする。
【０００８】
そこで本発明は、送気用と送水用のノズルが別々に設けられた内視鏡の先端部において、両ノズルによって発生する照明影が内視鏡観察に悪影響を及ぼさず良好な内視鏡観察を行うことができる内視鏡の先端部を提供することを目的とする。
【０００９】
【課題を解決するための手段】
上記の目的を達成するため、本発明の内視鏡の先端部は、観察窓と二つの照明窓とが設けられた挿入部先端面に、送気用と送水用の二つのノズルが別々に突設された内視鏡の先端部において、二つのノズルを、二つの照明窓の各中心位置を結ぶ直線を境にその両側に分けて配置したものである。
【００１０】
なお、挿入部先端面に設けられた処置具突出口が、二つのノズルのうちの一方のノズルにより発生する照明影の領域に配置されていれば、処置具突出口から突出される処置具による照明光の反射現象が抑制される。
【００１１】
また、二つの照明窓の各中心位置を結ぶ直線から観察窓の中心までの距離を、二つの照明窓の各中心位置を結ぶ直線から各ノズルまでの距離より短くすれば、観察窓が被写体に極近接した近接拡大観察状態になっても、照明影が観察視野を妨げない。
【００１２】
【発明の実施の形態】
図面を参照して本発明の実施例を説明する。
図１は、本発明の第１の実施例の内視鏡の挿入部先端の先端面を示しており、観察窓２と照明窓３の各中心を通る断面における側面断面の状態は、先に説明した図４と同様である。
【００１３】
この実施例の内視鏡は前方視型内視鏡であり、その挿入部先端に配置された先端部本体１の先端面１ａに、観察窓２と二つの照明窓３が配置されると共に、ノズル４が送気用と送水用とで別々に突設されている。５は処置具突出口、６は真っ直ぐに開口する副送水口（ジェット送水ノズル等ともいう）であり、矢印は送気と送水の際の空気流と水流の方向を示している。
【００１４】
この実施例においては、送気用と送水用の二つのノズル４のうち一方のノズル４が、二つの照明窓３のうちの一方と処置具突出口５との間の位置に配置され、それによって、二つのノズル４が、二つの照明窓３の各中心位置を結ぶ直線Ａを境にその両側に分かれた位置に配置されている。
【００１５】
その結果、二つのノズル４により発生する各照明影Ｓ（二つの照明窓３のうちノズル４に近い方の照明窓３から放射される照明光によるノズル４の影）は必ず二つの照明窓３の各中心位置を結ぶ直線Ａの両側に分かれて発生するので、照明影Ｓが重なり合う状態が発生しない。したがって、観察視野に著しく暗い部分ができず、両ノズル４によって発生する照明影Ｓが内視鏡観察に悪影響を及ぼさない。
【００１６】
図２は本発明の第２の実施例の内視鏡の挿入部先端の先端面を示しており、二つのノズル４が二つの照明窓３の各中心位置を結ぶ直線Ａを境にその両側に分かれた位置に配置されると共に、先端部本体１に設けられた処置具突出口５が、二つのノズル４のうちの一方のノズル４により発生する照明影Ｓの領域に位置するようにレイアウトされている。
【００１７】
その結果、処置具突出口５から突出される処置具の表面における照明光の強烈な反射現象が抑制され、内視鏡的処置を行う際の観察が眩しくならなくて常に容易になる。
【００１８】
図３は本発明の第３の実施例の内視鏡の挿入部先端の先端面を示しており、二つのノズル４が二つの照明窓３の各中心位置を結ぶ直線Ａを境にその両側に分かれた位置に配置されると共に、二つの照明窓３の各中心位置を結ぶ直線Ａから観察窓２の中心までの距離Ｔが、二つの照明窓３の各中心位置を結ぶ直線Ａから各ノズル４までの距離Ｌ１，Ｌ２より短くなるようにレイアウトされている。即ち、Ｔ＜Ｌ１かつＴ＜Ｌ２である。
【００１９】
このようにすることにより、観察窓２が被写体に極近接した近接拡大観察状態になっても、照明影Ｓが観察視野を妨げず良好な観察を行うことができる。
なお、本発明は上記実施例に限定されるものではなく、例えば本発明を斜視型内視鏡等に適用してもよい。
【００２０】
【発明の効果】
本発明によれば、送気用と送水用の二つのノズルが別々に突設された内視鏡の先端部において、二つのノズルを、二つの照明窓の各中心位置を結ぶ直線を境にその両側に分けて配置したことにより、照明影が必ず二つの照明窓の各中心位置を結ぶ直線の両側に分かれて発生するので、各ノズルによる照明影が重なり合う状態が発生せず、両ノズルによる照明影が内視鏡観察に悪影響を及ぼすことなく良好な内視鏡観察を行うことができる。
【図面の簡単な説明】
【図１】本発明の第１の実施例の内視鏡の挿入部先端面の正面図である。
【図２】本発明の第２の実施例の内視鏡の挿入部先端面の正面図である。
【図３】本発明の第３の実施例の内視鏡の挿入部先端面の正面図である。
【図４】一般的な内視鏡の先端部の側面断面図である。
【図５】従来の内視鏡の挿入部先端面の正面図である。
【符号の説明】
１　先端部本体
１ａ　先端面（挿入部先端面）
２　観察窓
３　照明窓
４　ノズル
５　処置具突出口
Ａ　二つの照明窓の各中心位置を結ぶ直線
Ｓ　照明影
【図１】
2004049264.tif 000003
【図２】
2004049264.tif 000004
【図３】
2004049264.tif 000005
【図４】
2004049264.tif 000006
【図５】
2004049264.tif 000007